(57)【特許請求の範囲】
【請求項１】
主に、平面、円筒、曲面からなる計測対象の寸法を測定する際に、非接触式三次元測定機により全体形状を測定し、全体形状の三次元形状データを生成する第１のステップと、計測対象を平面、円筒、曲面部に分割し、レーザ追尾式非接触測定機とレーザ追尾式接触測定機で測定する第２のステップと、上記第２のステップでレーザ追尾式非接触測定機から得られたデータに基づき曲面部の三次元形状データを生成する第３のステップと、上記第２のステップでレーザ追尾式接触測定機から得られたデータに基づきＮ点計測を行い、平面、および、円筒を算出する第４のステップと、手計測により得られた主要部寸法の入力を受け付ける第５のステップと、上記、第１、第３、第４、および、第５のステップで得られたデータを合成する第６のステップと、該第６のステップで得られたデータに基づき設計データを作成する第７のステップを備えたことを特徴とする３次元寸法測定方法。
【請求項２】
主に、平面、円筒、曲面からなる計測対象の寸法を測定する際に、非接触式三次元測定機により全体形状を測定し、全体形状の三次元形状データを生成する第１のステップと、計測対象を平面、円筒、曲面部に分割し、レーザ追尾式非接触測定機とレーザ追尾式接触測定機で測定する第２のステップと、上記第２のステップでレーザ追尾式非接触測定機から得られたデータに基づき曲面部の三次元形状データを生成する第３のステップと、上記第２のステップでレーザ追尾式接触測定機から得られたデータに基づきＮ点計測を行い、平面、および、円筒を算出する第４のステップと、手計測により得られた主要部寸法の入力を受け付ける第５のステップと、上記、第１、第３、第４、および、第５のステップで得られたデータを合成する第６のステップと、該第１から第６のステップで同様に得られた別の計測対象の形状データ同士を比較する第７のステップと、比較結果から、据え付け時の干渉状態を確認する第８のステップと、該第８のステップで得られた情報に基づき、追加工指示を行うステップを備えたことを特徴とする３次元寸法測定方法。
【発明の詳細な説明】
【技術分野】
【０００１】
本発明は、タービンロータ、タービンケーシングの３次元形状を計測し、その計測情報に基づいて設計データを作成したり、据え付け状態を確認したりする際に使用される、３次元寸法測定方法に関する。
【背景技術】
【０００２】
タービンロータやタービンケーシングは経年劣化するため、定期的に取り換え工事が行われる。このような工事を行うに際しては、タービンロータやタービンケーシングの設計図面が必要であるが、既設置のタービンロータやタービンケーシングが他社製の場合、図面がないことから、タービンロータやタービンケーシングを交換するためには、現品にて既設置品の形状測定データを取得し、設計図を起こす必要があった（リバースエンジニアリング、レトロフィット）。
【０００３】
これらの課題に対し、特開２０１０−１６０１３５号公報（特許文献１）において鯉沼らは、タービン発電機におけるステータコイル接続組立の３次元形状を測定するに際して、レーザ非接触式３次元形状測定装置により予め設定された測定範囲におけるステータコイル接続組立の測定部位の３次元形状を測定する第１のステップと、エンコーダが内蔵された関節により複数本のアームを連結してなる多関節接触式３次元形状測定装置により予め設定された測定範囲におけるステータコイル接続組立の測定部位の３次元形状を測定する第２のステップと、前記第１の測定ステップで測定された３次元形状データと前記第２の測定ステップで測定された３次元形状データ及び手計測による局所的な部位の形状測定データを総合的に合成して最終的にステータコイル接続組立の設計図を起こすための方法について述べている。
【先行技術文献】
【特許文献】
【０００４】
【特許文献１】特開２０１０−１６０１３５号公報
【発明の概要】
【発明が解決しようとする課題】
【０００５】
しかしながら、特許文献１で述べられている技術では、表面形状を容易に高精度に測定するために、多関節接触式３次元形状測定装置を用いているため、一度に測定できる範囲が狭く、多関節接触式３次元形状測定装置の位置を何回も変更する必要があった。
【０００６】
そこで、本発明の目的は、一回の設置で広範囲を高い精度で算出可能な方法を提供することにある。
【課題を解決するための手段】
【０００７】
上記目的を達成するために、本発明は、主に、平面、円筒、曲面からなる計測対象の寸法を測定する際に、非接触式三次元測定機により全体形状を測定し、全体形状の三次元形状データを生成する第１のステップと、計測対象を平面、円筒、曲面部に分割し、レーザ追尾式非接触測定機とレーザ追尾式接触測定機で測定する第２のステップと、上記第２のステップでレーザ追尾式非接触測定機から得られたデータに基づき曲面部の三次元形状データを生成する第３のステップと、上記第２のステップでレーザ追尾式接触測定機から得られたデータに基づき平面、および、円筒を算出する第４のステップと、手計測により得られた主要部寸法の入力を受け付ける第５のステップと、上記、第１、第３、第４、および、第５のステップで得られたデータを合成する第６のステップと、該第６のステップで得られたデータに基づき設計データを作成する第７のステップと、上記第７のステップで得られた設計データに基づき計測対象同等品を新規に製作するステップを備えたことを特徴とする。
【発明の効果】
【０００８】
本発明によれば、少ない作業量で、短時間に、高い精度で寸法を求めることが可能となる。
【図面の簡単な説明】
【０００９】
【図１】本発明の第１の実施例における、レーザ追尾式非接触測定機、レーザ追尾式接触測定機、非接触３Ｄ測定器、および、手計測を用いた計測結果からＣＡＤデータを生成し、新規に製造するまでのフローを示した図である。
【図２】本発明の第１の実施例における、レーザ追尾式非接触測定機、レーザ追尾式接触測定機、非接触３Ｄ測定器、および、手計測を用いた計測結果同士を比較し、取り付け前に、取り付け状態での干渉チェックを行ったうえで据え付けを行うまでのフローを示した図である。
【図３】タービンケーシングを示す模式図である。
【図４】タービンロータを示す模式図である。
【図５】タービンケーシングを面と円筒の集合体として表した図である。
【図６】タービンロータを面と円筒の集合体として表した図である。
【図７】タービンケーシングにおいて、面と円筒で表現されない形状の例（ホールダウンボルト）を示す図である。
【図８】タービンケーシングにおいて、面と円筒で表現されない形状の例（ホールダウンボルト）を、レーザ追尾式非接触測定機で測定した結果を示す図である。
【図９】非接触３Ｄ測定機を説明する図である。
【図１０】非接触３Ｄ測定機の概要、および、計測座標系を示す図である。
【図１１】レーザ追尾式接触測定機の概要、および、計測座標系を示す図である。
【図１２】レーザ追尾式非接触測定機の概要、および、計測座標系を示す図である。
【図１３】非接触測定機の校正、および、測定原理を説明する図である。
【図１４】異なる位置に配置されたレーザトラッカシステムでの測定結果を、共通のレトロリフレクタの座標を用いて同じ座標系で合成する方法を示す図である。
【図１５】３点で定義される平面を示す図である。
【図１６】３点で定義される円筒を示す図である。
【図１７】Ｎ点で定義される平面を示す図である。
【図１８】Ｎ点で定義される円筒を示す図である。
【図１９】Ｎ点で定義される円筒を算出する際に、計測データを異なる面に投影する様子を示す図である。
【図２０】タービンケーシングの基準面と、測定したい円筒溝を示す図である。
【図２１】Ｎ点計測結果から、タービンケーシングの基準面を生成する様子を説明する図である。
【図２２】円筒溝を計測したＮ点のデータを、生成したタービンケーシングの基準面に投影して、円筒溝に対応した円筒を算出する様子を説明する図である。
【図２３】ホールダウンボルトの中心間隔を、真球を用いて算出する様子を示す図である。
【図２４】レーザ追尾式非接触測定機で真球を測定した結果を示す図である。
【図２５】タービンケーシングの円筒面にあけられたボルト穴を示す図である。
【図２６】タービンケーシングの円筒面にあけられたボルト穴に、軸中心がタービンケーシングの円筒面にあけられたボルト穴中心と一致するボルトを挿入した様子を示す図である。
【図２７】外形が円筒形状であるボルト形状を、レーザ追尾式接触測定機でＮ点計測し円筒を求め、ボルトの軸を求める様子を示す図である。
【図２８】内径が円筒形状であるボルト形状を、レーザ追尾式接触測定機でＮ点計測し円筒を求め、ボルトの軸を求める様子を示す図である。
【図２９】内径が円錐溝であるボルト形状を、レーザ追尾式接触測定機で計測しボルトの軸を求める様子を示す図である。
【図３０】レーザ追尾式非接触測定機の面測定精度を簡易的に確認するための治具である。
【図３１】レーザ追尾式非接触測定機の円筒測定精度を簡易的に確認するための治具である。
【図３２】レーザ追尾式非接触測定機の面測定精度、および、円筒測定精度を簡易的に確認するための治具である。
【図３３】レーザ追尾式接触測定機で真球を測定する様子を示す図である。
【発明を実施するための形態】
【００１０】
本発明は、測定対象の寸法を測定する際に、非接触３Ｄ測定器で全体形状を測定し、また、高い計測精度が求められる部分は、主に平面と円筒形状であることに着目し、測定対象を平面と円筒の集合体に分解し、分解した平面と円筒をレーザ追尾式接触測定機でＮ点計測し、取得されたＮ点の座標データから当てはめにより平面や円筒を求めることで、高い計測精度が求められる主要部分に寸法をもとめ、平面と円筒では表現できない曲面部のうち、高い精度が求められる部位については、レーザ追尾式非接触測定機を用いて計測することで、一回のセッティングで広い範囲を、短時間に計測することを特徴とする。
【００１１】
以下、本発明の実施形態を図１から図３３を用いて説明する。
【００１２】
図１に本発明で用いる計測システムの全体構成について示す。先ず、非接触式三次元測定機６により計測対象全体にわたり、計測対象表面に対応した座標情報を得る。非接触式三次元測定機は、図９に示すように、二つのエンコーダ付き回転モータ２７ａ、２７ｂと、レーザ測距システム２８から構成され、図１０に示すように、上記エンコーダで二つの角度φ、θを計測するとともに、上記レーザ測距システムにより計測対象までの距離を測定することで、計測点の座標情報１１を得る。そして、該得られた座標情報に基づき、計測対象全体形状の三次元形状データ１５を生成する。
【００１３】
次に、計測対象を平面、円筒、曲面部に分割し（ステップ２）、該分割された部位ごとにレーザ追尾式非接触測定機３とレーザ追尾式接触測定機４で測定する。具体的な計測対象としては、図３、図４に示すようなタービンケーシングやタービンロータが挙げられる。タービンケーシングやタービンロータは、簡略化すると、図５、図６に示されるような、平面と円筒の集合体として表すことができる。このとき、レーザ追尾式非接触測定機とレーザ追尾式接触測定機は、図１１、図１２に示すように、各々、レーザトラッカシステム５ａとカメラシステム５ｂで監視されている。上記レーザ追尾式非接触測定機とレーザ追尾式接触測定機は、各々、レトロリフレクタ３２が取り付けられており、上記レーザトラッカシステム５ａにて、該レトロリフレクタまでの距離を測定することで、レーザトラッカシステムの座標系における該レトロリフレクタの座標を計測する。また、上記レーザ追尾式非接触測定機とレーザ追尾式接触測定機は、各々、複数のＬＥＤが取り付けられており、上記カメラシステムにて、該ＬＥＤを撮像する。該ＬＥＤの位置関係は予め定められているため、取得された画像を解析することで、上記レーザ追尾式非接触測定機とレーザ追尾式接触測定機の姿勢を算出する。以上の情報に基づき、レーザ追尾式非接触測定機とレーザ追尾式接触測定機で得られたデータは、レーザトラッカシステムの座標系に変換される。
【００１４】
次に、レーザ追尾式非接触測定機で得られたデータから曲面の三次元形状データ１４を生成する。曲面の具体例としては、図７に示すような、タービンケーシングのホールダウンボルト部などが挙げられる。レーザ追尾式非接触測定機では、図８に示すように曲面部表面の多くの座標データを取得する。測定原理は、例えば、図１３に示すレーザ光切断方式などがある、すなわち、レーザ３ａから発振されたレーザ光りは、コリメータレンズ３ｃで一旦拡大され、シリンドリカルレンズ３ｄで扇状に広げられる。該扇状の光りは、計測対象に当たり散乱光が発生する。該発生した散乱光は、結像レンズ３ｅで集光され、エリアセンサ３ｂ上に結像される。このとき、計測対象の位置（サイズ、すなわち座標）がレーザ輝線３６、３７、３８と変化すると、画像上の結像位置も計測面３６ａ、３６ｂ、３６ｃといった具合に変化する。この画像上での結像位置（レーザ輝線の位置）を画像処理で算出し（例えば、輝度分布の重心を求め）、三角測量の原理で計測対象までの距離が求まる。
【００１５】
一方、レーザ追尾式接触測定機では、図１７、図１８に示すように、上記分割された各々の平面、および、円筒をＮ点計測する。そして、Ｎ点計測されたデータから、平面、および、円筒形状を求める。さらに、計測対象の主要部１６では、ノギスやパイテープ、コンベックスなどを用いて計測される。一般に、図１５、図１６に示すように、平面と円筒は３点の座標データがあると一意に求まる。しかしながら、計測データには必ず誤差が含まれるため、３点の計測データから平面や円筒は正しく求まらない。そこで、最低でも５点から８点の計測データを取得することが望ましい。４点以上の計測データから平面や円筒を求める方法としては、最小二乗法や擬似逆行列を使えばよい。ここで、タービンケーシングやタービンロータの場合、一般的に、平面や円筒は各々平行になっている。ところが、最小二乗法や擬似逆行列で求まる平面や円筒は、計測誤差のため、平面の法線と円筒の軸は、一致しない。すなわち、図１９に示すように、計測データの誤差により、円筒面が投影される平面が、計算のたびに変わる。逆に、投影する平面を予め定めておけば、円筒の中心軸は一致する。そこで、例えば、タービンケーシングを計測する場合には、図２０に示すように、機械加工面を基準面４６とし、先ず、図２１に示すように、該基準面をＮ点計測する。そして、図２２に示すように、該基準面を含む平面４６ｂを求める。次に、計測したい円筒面４７をＮ点計測し、得られた計測データを該平面４６ｂに投影し、投影されたデータに円を当てはめることで円筒を算出する。
【００１６】
このようにして求められた形状データは、共通の座標系で合成され（ステップ１７）、該得られた合成形状データに基づき設計データ（ＣＡＤデータ）を生成し（ステップ１８）、該生成された設計データに基づき、計測対象相当品が新規に製作される（ステップ１９）。
【００１７】
図２に本発明で用いる計測システムの別の構成について示す。先ず、非接触式三次元測定機６により計測対象全体にわたり、計測対象表面に対応した座標情報１１を得る。そして、該得られた座標情報に基づき、計測対象全体形状の三次元形状データ１５を生成する。
【００１８】
次に、計測対象を平面、円筒、曲面部に分割し（ステップ２）、該分割された部位ごとにレーザ追尾式非接触測定機３とレーザ追尾式接触測定機４で測定する。このとき、レーザ追尾式非接触測定機とレーザ追尾式接触測定機は、各々、レーザトラッカシステム５ａとカメラシステム５ｂで監視されている。上記レーザ追尾式非接触測定機とレーザ追尾式接触測定機は、各々、レトロリフレクタが取り付けられており、上記レーザトラッカシステムにて、該レトロリフレクタまでの距離を測定することで、レーザトラッカシステムの座標系における該レトロリフレクタの座標を計測する。また、上記レーザ追尾式非接触測定機とレーザ追尾式接触測定機は、各々、複数のＬＥＤが取り付けられており、上記カメラシステムにて、該ＬＥＤを撮像する。該ＬＥＤの位置関係は予め定められているため、取得された画像を解析することで、上記レーザ追尾式非接触測定機とレーザ追尾式接触測定機の姿勢を算出する。以上の情報に基づき、レーザ追尾式非接触測定機とレーザ追尾式接触測定機でえられたデータは、レーザトラッカシステムの座標系に変換される。次に、レーザ追尾式非接触測定機で得られたデータから曲面の三次元形状データ１４を生成する。一方、レーザ追尾式接触測定機では、上記分割された各々の平面、および、円筒をＮ点計測する。そして、Ｎ点計測されたデータから、平面、および、円筒形状を求める。さらに、計測対象の主要部１６では、ノギスやパイテープ、コンベックスなどを用いて計測される。このようにして求められた形状データは、共通の座標系で合成される（ステップ１７）。
【００１９】
次に、該得られた形状データと、別の計測対象を同様の手順で計測した得られた形状データとを比較し（ステップ２０）、据付前の干渉チェック（ステップ２１）を三次元データ上で行う。具体的には、タービンケーシングと該タービンケーシング内部に配置されるタービンロータの形状データを比較し、接触の有無を確認する。接触部位が認められた場合は、当該部位を追加工し（ステップ２２）、接触部位が認められない場合には、そのまま据付作業（ステップ２３）を行う。
【００２０】
ここで、図２３に示すホールダウンボルトの穴位置間隔を求めようとした場合、レーザ追尾式非接触測定機では光がホールダウンボルト穴の内部まで届かず、レーザ追尾式接触測定機ではプローブが届かない場合がある。このような場合には、図２３に示すように、ホールダウンボルト穴に真球４８を置き、該真球４８を図２４に示すようにレーザ追尾式非接触測定機で測定し、もしくは、図３３に示すようにレーザ追尾式接触測定機でＮ点計測して、真球４８の中心を算出し、真球４８の中心間距離を求めればよい。
【００２１】
同様に、図２５に示すように、タービンケーシングの円筒面にあけられたボルト穴位置を求めたい場合も、レーザ追尾式非接触測定機では光がボルト穴の内部まで届かず、レーザ追尾式接触測定機ではプローブが届かない場合がある。さらに、仮に、レーザ追尾式非接触測定機で光がボルト穴の内部まで届いたり、レーザ追尾式接触測定機でプローブがボルト穴の内部まで届いたりした場合でも、タップ溝の影響でボルト穴位置が正しく算出されない場合もある。このような場合には、図２６に示すように、中心軸の精度が正しく求められているボルト５２を差込み、該ボルトの中心軸を算出すればよい。具体的には、図２７に示すように、ボルト５２の上部の円筒５２ａの外径をレーザ追尾式接触測定機でＮ点計測したり、図２８のように、ボルト５２の上部の円筒５２ｂの外径をレーザ追尾式接触測定機でＮ点計測したりすればよい。図２８に示す方法の場合、レーザ追尾式接触測定機のプローブ先端球を保持（停止）しやすいため、計測が安定する。また、図２９のように、ボルト５２の上部円筒に円錐溝を設け、レーザ追尾式接触測定機のプローブ先端球を該円錐溝に落とし込むことで、直接ボルトの中心位置を算出してもよい。
【００２２】
ここで、タービンケーシングやタービンロータのような大きな計測対象を計測する場合、必ずしも、一回の計測で所望の形状を全て取得できる訳ではない。そのような場合には、非接触式三次元測定機６や、レーザトラッカシステム５の位置を変える必要がある。一旦、非接触式三次元測定機６や、レーザトラッカシステム５の位置を変更してしまうと、計測データの合成（共通の座標系に計測データを置き換える）ができなくなってしまう。そこで、図１４に示すように、予め計測対象全体にわたり、計測対象３個以上のターゲット（４０ａ、４０ｂ、４０ｃ）を配置しておき（全ての計測が終了するまで動かしてはいけない）、非接触式三次元測定機６や、レーザトラッカシステム５の位置を変えるたびに、該ターゲットを測定して座標を求めて置き、求まった３点以上の座標データに基づき、計測データを座標変換すれば、非接触式三次元測定機６や、レーザトラッカシステム５の位置を変えた場合でも、全てのデータを共通の座標系で表すことが可能となる。
【００２３】
ここで、タービンケーシングやタービンロータのような大きな計測対象を計測する場合、計測時間が数時間以上にわたる場合がある。さらに、レーザ追尾式非接触測定機３やレーザ追尾式接触測定機４は、計測作業者が持ち歩くため、ぶつけたりする場合がある。最悪の場合、ＬＥＤの位置関係が変わったりする。そのような場合、最終的に合成されたデータにずれが生じる。そこで、図３０に示す対向面間距離が予め高精度で測定された平板５５や、図３１に示すリングゲージ（円筒）５６などを定期的に計測し、得られた対向面間距離や、リングゲージ径に変化が無いか調べればよい。但し、対向面間距離やリングゲージ径（いずれも、相対位置関係）に変化がなかったとしても、絶対座標が変化している場合がある。すなわち、非接触式三次元測定機６や、レーザトラッカシステム５の位置が変わっている場合がある。このような場合、上記リングゲージ（円筒）５６を３個以上固定しておき、定期的に該リングゲージ（円筒）５６を測定し、その中心座標を求めておけば、仮に、非接触式三次元測定機６や、レーザトラッカシステム５の絶対位置や、レーザ追尾式非接触測定機３やレーザ追尾式接触測定機４の測定精度が変化した場合にも、回転、平行移動、拡大、縮小を含む座標変換により、計測データを補正することが可能となる。図３２に示すように、３個のリングゲージ（円筒）５６を平板５５上に固定した簡易校正治具５７を用意し、予め、該リングゲージ（円筒）５６の中心座標と対向面間距離を予め高精度で求めておいて、該簡易校正治具５７を固定しておけば、用意に座標補正用データを取得することができる。
【産業上の利用可能性】
【００２４】
タービンロータやタービンケーシングの寸法計測方法および装置に関する。
【符号の説明】
【００２５】
１  計測対象
２  計測対象を平面部、円筒部、曲面部に分割
３  レーザ追尾式非接触測定機
３ａ  レーザ
３ｂ  エリアセンサ
３ｃ  コリメートレンズ
３ｄ  シリンドリカルレンズ
３ｅ  結像レンズ
４  レーザ追尾式接触測定機
５、５ａ  レーザトラッカシステム
５ｂ  カメラシステム
６  非接触式三次元測定機
７  手計測
８  レーザ追尾式非接触測定機、または、レーザ追尾式接触測定機までの距離
９  レーザ追尾式非接触測定機、または、レーザ追尾式接触測定機の姿勢
１０  レーザ追尾式非接触測定機、または、レーザ追尾式接触測定機で測定した計測点の座標
１１  計測点の座標情報
１２  平面の算出
１３  円筒形状の算出
１４  曲面の三次元形状データ
１５  計測対象全体形状の三次元形状データ
１７  計測データの合成
１８  設計データ（ＣＡＤデータ）の作成
２４  タービンケーシング
２５  タービンロータ
２６  面と円筒の集合体で表現したタービンケーシング
２７  面と円筒の集合体で表現したタービンロータ
２７ａ、２７ｂ、２９ａ、２９ｂ、３０ａ、３０ｂ  エンコーダ付き回転モータ
２８、３１  レーザ測距システム
３２  レトロリフレクタ
３３ａ、３３ｂ、３３ｃ、３３ｄ  ＬＥＤ
３６、３７、３８  計測面
３６ａ、３７ａ、３８ａ  エリアセンサで得られた各計測面に対応するレーザ輝線
４１  ３点で定義される平面
４１′  Ｎ点の計測データから求めた平面
４２  円筒
４３  投影面に投影された計測データにフィッティングされた円
４３′  Ｎ点の計測データから求めた円
４６  タービンケーシングの基準面
４６ａ  Ｎ点の計測データから求めたタービンケーシングの基準面
４６ｂ  Ｎ点の計測データから求めたタービンケーシングの基準面を含む平面
４７  計測したいタービンケーシングの円筒溝
４７ａ  算出したい円筒
４７ｂ  Ｎ点の計測データを、Ｎ点の計測データから求めたタービンケーシングの基準面に投影した結果から求めた円
４８  真球
４９  真球の中心間隔から求めたホールダウンボルトの中心間距離
４９ａ、４９ｂ  真球の中心座標
５０  レーザ追尾式非接触測定機による真球の形状計測結果
５１  タービンケーシングの円筒面にあけられたボルト穴
５２  軸中心がタービンケーシングの円筒面にあけられたボルト穴中心と一致するボルト
５５  簡易校正治具（平板）
５６  簡易校正治具（円筒）
５７  平板と円筒が一体化された簡易校正治具
【図１】
0005610443.tif 000002
【図２】
0005610443.tif 000003
【図３】
0005610443.tif 000004
【図４】
0005610443.tif 000005
【図５】
0005610443.tif 000006
【図６】
0005610443.tif 000007
【図７】
0005610443.tif 000008
【図８】
0005610443.tif 000009
【図９】
0005610443.tif 000010
【図１０】
0005610443.tif 000011
【図１１】
0005610443.tif 000012
【図１２】
0005610443.tif 000013
【図１３】
0005610443.tif 000014
【図１４】
0005610443.tif 000015
【図１５】
0005610443.tif 000016
【図１６】
0005610443.tif 000017
【図１７】
0005610443.tif 000018
【図１８】
0005610443.tif 000019
【図１９】
0005610443.tif 000020
【図２０】
0005610443.tif 000021
【図２１】
0005610443.tif 000022
【図２２】
0005610443.tif 000023
【図２３】
0005610443.tif 000024
【図２４】
0005610443.tif 000025
【図２５】
0005610443.tif 000026
【図２６】
0005610443.tif 000027
【図２７】
0005610443.tif 000028
【図２８】
0005610443.tif 000029
【図２９】
0005610443.tif 000030
【図３０】
0005610443.tif 000031
【図３１】
0005610443.tif 000032
【図３２】
0005610443.tif 000033
【図３３】
0005610443.tif 000034